(57)【特許請求の範囲】
【請求項１】
外殻を構成する箱状を成し、前面に縦方向に延び窄められた状態の傘の本体側を挿入する前面傘挿入口が形成され、上面に前記前面傘挿入口に繋がり中央方向に延び傘の手元側を通過させる上面連通口が形成された本体箱体と、
前記本体箱体内に設けられ挿入された傘の石突きを保持する石突保持部と、
前記上面連通口の奥側に設けられ、傘の手元側を保持し、前記石突保持部とともに傘を回転可能に支持する上部保持部と、
前記傘に対して石突き側から手元側に向かって空気を高速に噴出する高速空気噴出部と、を備え、
前記石突保持部は、前記本体箱体内にて上下方向へ可動とされ、
前記上下方向における前記石突保持部の可動範囲の上端が、前記前面傘挿入口の下端から斜め下方へ挿入された傘の石突きが到達する位置であることを特徴とする傘除水機。
【請求項２】
前記本体箱体の前記前面傘挿入口は、一般的な大人用傘の約半分程度の長さで縦方向に延びる
ことを特徴とする請求項１に記載の傘除水機。
【請求項３】
前記石突保持部は、挿入された傘の石突きを滑らせて傘の回転軸位置に誘導するすり鉢状の誘導円錐面を有する
ことを特徴とする請求項１または２に記載の傘除水機。
【請求項４】
前記本体箱体内に延び前記石突保持部を前記上下方向に移動可能に支持する移動手段と、
前記石突保持部を所定量の付勢力で上方向に付勢する付勢手段と、をさらに備え、
前記石突保持部は、保持する傘の手元の高さがほぼ一定となるように保持する前記石突きの高さを変える
ことを特徴とする請求項１から３のいずれか１項に記載の傘除水機。
【請求項５】
前記上部保持部の周囲に設けられ、上記上面連通口から外部への水滴の飛散を防止する上部水滴遮蔽板をさらに備えた
ことを特徴とする請求項１から４のいずれか１項に記載の傘除水機。
【請求項６】
前記前面傘挿入口の下部縁部から挿入された傘方向に延びて設けられ、前記前面傘挿入口から外部への水滴の飛散を防止する下部水滴遮蔽板をさらに備えた
ことを特徴とする請求項１から５のいずれか１項に記載の傘除水機。
【請求項７】
前記本体箱体内に挿入された傘の親骨の上部位置高さに設けられ、傘の親骨を抱持し、傘の広がりを規制する傘骨支持部材をさらに備えた
ことを特徴とする請求項１から６のいずれか１項に記載の傘除水機。
【発明の詳細な説明】
【技術分野】
【０００１】
本発明は、雨や雪で濡れた傘の水滴を脱水する傘脱水機に関するものであり、特に傘布に付着した水滴を高速空気で除去する傘除水機に関するものである。
【背景技術】
【０００２】
近年、傘布に付着した水滴を高速空気で除去する傘除水機が利用されている。雨の日に建物の中に入る際に傘除水機を利用すれば、建物内で傘から水滴が垂れにくくなり、大変便利である。このような傘除水機において、傘の挿入性を容易にするために、傘除水機に広い開口部が設けられている場合、高速空気による水滴除去の際に、水滴が開口部から周囲に飛散し床などを濡らしてしまう。このため、傘除水機内部で水滴を確実に遮断する必要がある。
【０００３】
従来の傘除水機においては、傘除水機の前面に傘挿入口を設けて傘の出し入れを容易にしたものが例えば特許文献１に開示されている。特許文献１の傘除水機は、本体と上部に傘挿脱口を有する中ケースを備えている。本体より前方に突出した中ケースに対して石突を先にして傘を挿入すると、これをスイッチ手段が検出して、中ケースが本体に略垂直状態に収納されて脱水姿勢になり脱水が開始され、脱水が終了すると中ケースが開いて再び中ケースが本体より前方に突出した状態となり傘を取り出すことができる。このようにして傘の出し入れを容易にし、脱水中は中ケースが収納されているためコンパクトにできる。また、中ケースを収納すると開口部分はなくなるため、脱水中の本体外への水飛散を防止できる。
【０００４】
また、本体の一面に開口部を備えたものが例えば特許請求２に開示されている。本体の上方の略一面に亘って開口部を設けている。開口部からの水滴飛散の解消については、本体の開口部には除水時の水滴を遮断するために、箱体上面に、閉じられた傘の外観に類似したテーパー状の開口部が形成されるように雨滴飛散防止板が備えられている。
【先行技術文献】
【特許文献】
【０００５】
【特許文献１】特開平３−１４８５８６号公報（４頁、第図１）
【特許文献２】特開平４−２８９９１号公報（７頁、第１図−第２図）
【発明の概要】
【発明が解決しようとする課題】
【０００６】
しかしながら、上記のような傘除水機では、除水前では中ケースが本体前方に開いていて邪魔になったり、中ケースを開閉する構造の複雑化により製造コストやメンテナンスコストが増大したりするという問題があった。
【０００７】
また、水滴飛散防止板がテーパー状のため短い傘を挿入した場合は、傘の露先側の傘布端部には除水空間が開口するため、除水時にこの開口部から水滴が飛散するという問題があった。
【０００８】
本発明は、上記に鑑みてなされたものであって、傘の挿入性を向上させ、子供などの背が低い人が使用する場合でも、また折畳み傘など多様な傘を使用する場合でも使い勝手のよい傘除水機とすることができ、構造を複雑化・大型化することなく、傘除水機の製造コストの削減、消費電力の低減、運転騒音を抑制することができる傘除水機を提供することを目的とする。
【課題を解決するための手段】
【０００９】
上述した課題を解決し、目的を達成するために、本発明の傘除水機は、外殻を構成する箱状を成し、前面に縦方向に延び窄められた状態の傘の本体側を挿入する前面傘挿入口が形成され、上面に前面傘挿入口に繋がり中央方向に延び傘の手元側を通過させる上面連通口が形成された本体箱体と、本体箱体内に設けられ挿入された傘の石突きを保持する石突保持部と、上面連通口の奥側に設けられ、傘の手元側を保持し、石突保持部とともに傘を回転可能に支持する上部保持部と、傘に対して石突き側から手元側に向かって空気を高速に噴出する高速空気噴出部とを備えたことを特徴とする。
【発明の効果】
【００１０】
この発明は、傘の挿入性を向上させ、更に子供などの背が低い人が使用する場合でも、また折畳み傘など多様な傘を使用する場合でも使い勝手のよい傘除水機とすることができ、構造を複雑化・大型化することなく、傘除水機の製造コストの削減、消費電力の低減、運転騒音を抑制することができる。さらに、傘寸法の長短にかかわらず水飛散を確実に防止することで、衛生性が向上するという効果を奏する。
【図面の簡単な説明】
【００１１】
【図１】図１は、この発明に係る傘除水機の実施の形態の側面断面図である。
【図２】図２は、この発明に係る傘除水機の外殻を構成する本体箱体の斜視図である。
【図３】図３は、実施の形態における石突保持部の動きを説明するための傘除水機の側面断面図である。
【図４】図４は、実施の形態の傘除水機の傘の回転中心軸を通る面における正面断面図である。
【図５】図５は、実施の形態における傘除水機の上面連通口及び上部保持部付近の上面部分拡大図である。
【図６】図６は、実施の形態における傘除水機の送気室付近の背面から見た部分断面図である。
【図７】図７は、実施の形態における傘除水機の３面断面図である。
【図８】図８は、実施の形態における傘除水機の傘の挿抜を説明する側面断面の説明図である。
【発明を実施するための形態】
【００１２】
以下に、本発明にかかる傘除水機の実施の形態を図面に基づいて詳細に説明する。なお、この実施の形態によりこの発明が限定されるものではない。
【００１３】
実施の形態．
［傘］
図１は、この発明に係る傘除水機の実施の形態の側面断面図である。最初に傘除水機によって水滴を除去される傘１について説明する。代表的な傘１は、中棒１ａ、手元１ｂ、石突１ｃ、親骨１ｄ、傘布１ｅを有して構成される。中棒１ａは、傘１の中心に配置され一端に手元１ｂが取り付けられ他端に石突１ｃが取り付けられた軸部材である。手元１ｂは傘１の利用者が持つ持ち手部分（柄）である。石突１ｃは、傘１の先端に取り付けられて傘布１ｅをまとめる機能を有する部材である。親骨１ｄは中棒１ａの石突１ｃ近傍に複数本が軸支されていて傘１を開いたときに放射状に広がる骨を構成する部材である。傘布１ｅは親骨１ｄの間を覆う布状の部材である。親骨１ｄの先端（自由端）側を露先１ｆという。ここで、傘１の、石突１ｃ、親骨１ｄ、傘布１ｅを含む部分を傘１の本体側と呼称し、この本体側の上部に続く手元１ｂを含む部分を手元側と呼称する。なお、傘１の開閉機構等についての詳細な説明は省略する。なお、この明細書において、傘布１ｅのおもて面とは、傘１を差した場合に雨を受ける面のことであり、傘１を窄めた状態においては外側を向く面のことである。
【００１４】
［傘除水機］
次に、傘除水機８０について説明する。図２は、この発明に係る傘除水機の外殻を構成する本体箱体の斜視図である。傘除水機８０は、その外郭を形成し金属の薄板や合成樹脂等で構成される本体箱体３を有している。本体箱体３の前面には、図２に示されるように、上下方向に略長方形に開口し窄めた状態の傘１を出し入れする前面傘挿入口４が形成されている。前面傘挿入口４は、本体箱体３の前面に一般的な大人用傘の約半分程度の長さで上端から縦方向に延びて開口している。前面傘挿入口４の幅は、窄めた状態の傘１が十分なクリアランスをもって出し入れ出来る程度の幅とされている。一方、本体箱体３の上面には、前面傘挿入口４より小さな幅で前面傘挿入口４の上端に繋がり本体箱体３の中央方向に延びる上面連通口９が形成されている。前面傘挿入口４が縦方向に延び窄められた状態の傘１の本体側を挿入するのに対して、上面連通口９は、その傘１の挿入動作の際、傘１の手元側を本体箱体３の中央方向に通過させる。そして上面連通口９の最も奥の位置には、除水時に傘１の中棒１ａまたは手元１ｂの直線部分を回転可能に保持する上部保持部８が設けられている。
【００１５】
図１に戻り、本体箱体３の内部には、前面傘挿入口４から窄めた状態で挿入された傘１を収納し傘布１ｅに付着している水滴を除水するための除水室５と、除水室５の下方には除水するために高圧空気を発生させる送気室６が設けられ、本体箱体３の底部には除水された水滴を排水するための排水室７が設けられている。
【００１６】
送気室６は隔壁３ａにより除水室５と区画され、送気室６の内部には高圧空気を発生させるブロワ１０が設けられ、隔壁３ａには送気室６から除水室５に向かって突出する楕円形または円形または長円形の開口をもつノズル１１（高速空気噴出部）が設けられている。ノズル１１は、ブロワ（高速空気発生部）１０で生成された高圧空気を高速空気に変換して矢印Ｅで示すように除水室５内に噴出させる。
【００１７】
除水室５の前面側に、前面傘挿入口４より挿入された傘１の先端である石突１ｃを収容し傘１を回転可能に保持する凹形状の石突保持部１２が設けられている。前面傘挿入口４より挿入された傘１は、除水室５へ挿入完了後、傘１の手元１ｂの直線部または中棒１ａを、上面連通口９を経由して上部固定部８へ移動させることで、ほぼ鉛直方向に立つ姿勢となり、石突保持部１２と上部保持部８を結ぶ直線である回転中心軸Ａを概ね中心として回転可能に保持される（以降、この回転中心軸Ａに傘が回転可能に軸支持され保持されている姿勢を除水姿勢と呼称する）。この除水姿勢では回転中心軸Ａ上で傘１を３６０°回転することができる。なお、傘１の種類によって中棒１ａや手元１ｂや石突１ｃの太さが異なるので、多数の種類の傘１を回転可能に保持するために、上部保持部８は中棒１ａや手元１ｂの軸径より大きい開口とされて、石突保持部１２も石突１ｃの軸径より大きい凹部とされ所定のクリアランスを設けている。したがって上部保持部８と石突保持部１２で傘１を回転可能に保持している除水姿勢時は、正確にはそのクリアランスの範囲で傘１が回転中心軸Ａより僅かに傾くが、除水性能には全く影響せず、この僅かな傾きも含めて回転中心軸Ａとする。
【００１８】
図１中の矢印Ｅは、上記のように傘布１ｅを除水する場合のノズル１１から噴出された高速空気の流れを示す。ノズル１１の空気噴出方向と回転中心軸Ａはほぼ平行であり、除水時には、高速空気はノズル１１から除水姿勢の傘１の石突１ｃに向かって回転中心軸Ａにほぼ平行に噴出され、石突１ｃ側から露先１ｆ側に向かって流れ、傘布１ｅのおもて面に付着した水滴を吹き飛ばして除水する。空気噴出方向と対向する本体箱体３の上面内側には衝突した高速空気の一部の風向きを変え傘布１ｅの内部へ空気を送り込むための突起２が設けられている。傘布１ｅ内部へ空気が送り込まれることで傘布１ｅが膨らみ、閉じられた状態の傘１の襞状の折り重なった傘布１ｅの重なりが解消され、傘布１ｅ全体に高速空気を吹き付けることができ除水性能を向上させている。除水姿勢時のノズル１１の噴出し方向と傘１を回転可能に固定される回転中心軸Ａとの距離ＬはＬ＝１０〜１００ｍｍの範囲内で、ノズル１１から噴出される高速空気流には多少の広がりを持たせることで、石突１ｃから露先１ｆに至るまで傘布１ｅ全体に高速空気を十分に当てることができるようになっている。
【００１９】
［石突保持部］
石突保持部１２は、上方で広がる大きな凹形状を成し、その中心である底部１２ａ（図３、図４参照）と、底部１２ａに向かって徐々に狭くなるように傾斜する、すり鉢状の誘導円錐面１２ｂを有する形状で、挿入された傘１の石突１ｃをこの誘導円錐面１２ｂで滑らせて底部１２ａ（傘１の回転軸位置）に誘導する。これにより、傘１を挿入する過程において自然に石突保持部１２の中心位置である底部１２ａに石突１ｃが位置される。そのため傘１を挿入したとき、特段の注意をはらわなくても石突１ｃを石突保持部１２で受けることができ、除水姿勢時には自然に石突保持部１２の中心である底部１２ａに石突１ｃを位置させることができる。また石突保持部１２には、ノズル１１に面する側の凹形状の壁のみノズル１１からの空気噴出方向と平行な形状で他の凹形状の壁である誘導円錐面１２ｂに比べ急角度で立ち上げた立上部１２ｃ（図３参照）があり、石突保持部１２の中心からの外形寸法を小さくすることで、ノズル１１からの噴流が石突保持部１２で邪魔されることなく傘布１ｅに吹きつけられる。なお、石突保持部１２は基本的には傘１の石突１ｃを回転可能に保持できればいいので、穴形状であってもよい。
【００２０】
［ノズル］
ノズル１１の位置は、前面傘挿入口４側からみて、除水姿勢の回転中心軸Ａよりも奥に設けられている。また、ノズル１１からの高速空気の噴出方向の延長上に前面傘挿入口４や上面連通口９が位置しないように設けられ、前面傘挿入口４や上面連通口９の開口に高速空気が直接向かないように配置されている。また、ノズル１１の上部先端はブロワ１０設置位置よりも低い位置に設けられているため、ノズル１１から多量の水が浸入して送気室６内に水が充満しても、ノズル１１の高さ以上には水が溜まらないので、ブロワ１０が浸水することはない。
【００２１】
［排水タンク］
本体箱体３の底部の排水室７には排水タンク１４が配置されている。除水室５内には傘布１ｅから吹き飛んだ水滴が排水タンク１４へと誘導されるガイド（図示せず）や傾斜が設けられている。ノズル１１から噴出された高速空気によって傘布１ｅから吹き飛ばされた水滴は除水室５内の側壁や隔壁３ａなどに付着するが、水滴の径が一定以上の大きさまで拡大すると本体箱体３の底部に向かって自然に流下し、ガイドや傾斜に沿い排水タンク１４に向けて落下する。排水タンク１４は引出構造になっており、排水タンク１４に水が溜まった場合には、排水タンク１４を傘除水機８０から取り出して溜まった水を捨てることができる。この実施の形態においては、本体箱体３の側部３ｂである正面（使用者側の面）から排水タンク１４を取出すことができる構成であるが、それ以外の本体箱体３の側部３ｂである側面や背面から取出す構造としてもよい。また傘布１ｅから吹き飛ばされた水滴を排水タンク１４に一旦溜めているが、排水ポンプと排水管などを接続し、水滴を溜めることなく傘除水機８０の外へ直接排水できるようにしてもよい。この構成では排水タンク１４に溜まった水をわざわざ捨てる必要がなくなり便利である。また、ブロワ１０の排熱、超音波霧化またはヒータなどを利用して蒸発させたり、送風による気化促進により水分を傘除水機８０外へ排出させたりするようにしてもよい。排水タンク１４に溜まる水量を減少させることができ、水を捨てる作業の頻度を少なくすることができる。
【００２２】
［水滴遮蔽板］
上面連通口９の周囲は上部水滴遮蔽板１９ａが設けられている。すなわち、上面連通口９は、本体箱体３の上面に形成された一回り大きいＵ字状の開口を塞ぐように設けられた上部水滴遮蔽板１９ａに形成されている。また、前面傘挿入口４の最下端には下部水滴遮蔽板１９ｂが設置されている。傘１を除水する際に、下方から上方に向かって噴出する高速空気によって、傘１の傘布１ｅの表面の水滴が吹き飛ばされ、吹き飛ばされた水滴は除水室５に回収される。このとき、吹き飛ばされた一部の水滴は本体箱体３から外側に、すなわち上面連通口９や前面傘挿入口４から外側に飛散しようとする。上面連通口９及び前面傘挿入口４の大部分は傘１によって覆われるため、飛散する大部分の水滴は傘１自体で捕捉されるが、傘布１ｅの表面を回りこんで本体箱体３の外に飛散しようとする水滴に対しては、上部水滴遮蔽板１９ａと下部水滴遮蔽板１９ｂとで捕捉される。このようにして、本体箱体３の外側に飛散しようとする水滴を抑制することができる。
【００２３】
［石突保持部の移動手段・付勢手段］
図３は、本実施の形態における石突保持部１２の動きを説明するための傘除水機８０の側面断面図であり、図３の（ａ）は傘１がまだ前面傘挿入口４に挿入されていない状態（以降、待機状態と呼称する）の状態を示し、図３の（ｂ）は傘１が挿入された除水姿勢時の状態を示している（図を見やすくするため傘１は省略してある）。図４は、本実施の形態の傘除水機８０の図３の（ｂ）の回転中心軸Ａを通る面における正面断面図で、傘用ガイドレール１５に沿った移動部を説明するための説明図である。図３及び図４において、石突保持部１２や移動部の動きの説明に不要な部分については、省略してある。
【００２４】
図３および図４において、除水室５の内側で本体箱体３の両側面（側部３ｂ）の内面には一対の傘用ガイドレール１５と一対のおもり用ガイドレール１６が対向して各々設けられている。また除水姿勢の回転中心軸Ａがノズル１１の空気噴出方向と概ね平行で、傘用ガイドレール１５も直線状でノズル１１の空気噴出方向と概ね平行となるように設けられている。本体箱体３の側部３ｂである両側面の内側に対向して設けられた傘用ガイドレール１５には、それぞれ傘用ブラケット１７が取り付けられ、傘用ガイドレール１５に沿って移動可能とされている。それぞれの傘用ブラケット１７は連結部材１８によって互いに連結されており、２つの傘用ブラケット１７と連結部材１８とが一体となって上下方向に移動可能となっている。
【００２５】
石突保持部１２は、連結部材１８に固定されており、傘用ブラケット１７及び連結部材１８とともに傘用ガイドレール１５に沿って移動可能となっている。なお、一体となって傘用ガイドレール１５に沿って移動する石突保持部１２、傘用ブラケット１７、及び連結部材１８をまとめて移動部と呼称する。傘用ガイドレール１５と傘用ガイドレール１５に沿って移動する傘用ブラケット１７、及び連結部材１８は、石突保持部１２を移動可能に支持する移動手段を構成している。
【００２６】
本体箱体３の両側面（側部３ｂ）の内面に対向して設けられたおもり用ガイドレール１６には、それぞれおもり用ブラケット２１が取り付けられ、そのおもり用ブラケット２１にはおもり２２が設けられ、一体となっておもり用ガイドレール１６上を移動する。傘用ブラケット１７とおもり２２とがケーブル２３により滑車２４を介して連結されている。この構造により、傘用ブラケット１７の動きとおもり２２の動きは連動し、例えば、図３の（ａ）に示すように、おもり２２が矢印Ｆのように上方に移動すれば、傘用ブラケット１７を含む移動部は矢印Ｇのように下方に移動する。
【００２７】
おもり２２の重さは、傘用ブラケット１７、連結部材１８、石突保持部１２等が、その自重により下降しようとする力よりも、おもり用ブラケット２１、おもり２２等が、その自重により下降しようとする力の方が大きくなるように調節されている。おもり２２が下方に移動することで移動部は上方へ移動し傘用ガイドレール１５上端部に設けられたストッパー（図示せず）に押し止められて停止する。おもり用ガイドレール１６、おもり用ブラケット２１およびおもり２２は、移動部（石突保持部１２）を上方に付勢する付勢手段を構成している。
【００２８】
以上のように、本実施の形態では、石突保持部１２の移動や傘１の姿勢変化をおもり２２の重力作用により行っているため、構造が簡単で電気的な駆動を必要とせず消費電力の低減や製造コストの削減を図ることができる。傘１の挿入にともなって石突保持部１２が傘１の石突１ｃ等で下方に押し込まれれば、石突保持部１２に傘１の石突１ｃが接触したまま、おもり２２による付勢力に抗して石突保持部１２が押し下げられる。なお、おもり２２の重さは、傘１が露先１ｆまで挿入された状態において、石突保持部１２が挿入されている傘１を自然に持ち上げ上方へ移動させてしまうことのない重さに調節されている。
【００２９】
［上部保持部及び上面連通口］
図５は、本実施の形態における傘除水機８０の上面連通口９及び上部保持部８付近の上面部分拡大図である。一般的な大人用の傘１において、中棒１ａの軸径の下限は直径１０ｍｍ程度であり、手元１ｂの軸径の上限は直径２５ｍｍ程度であるため、本実施の形態では、上部保持部８の大きさを直径３０ｍｍ程度の円筒が入る大きさにしている。上部保持部８の上面連通口９側には弾性を有する板バネなどで作製された一対の凸部８ａが設けられ開口幅を狭めている。一対の凸部８ａは、中棒１ａまたは手元１ｂが接触して所定の力が加わった場合に図５中矢印Ｈのように突出方向に変形して開口幅を広げ中棒１ａまたは手元１ｂを通過させる。フリー状態では一対の凸部８ａの開口幅Ｂは１０ｍｍ以下であるが、力を加えれば３０ｍｍ程度まで大きくなるように構成されている。これにより、さまざまな径を持つ傘でも凸部８ａを通過させ上部保持部８で回転可能に軸支し除水姿勢に保持することができる。なお、上面連通口９の開口幅Ｃは、上部保持部８と同等の３０ｍｍ程度としてもよいし、前面傘挿入口４から上部保持部８への移動を容易にするため、例えば４０ｍｍ程度まで広くしても問題なく、また上面連通口９の前面傘挿入口４と繋がる付近を４０ｍｍとし上部保持部８に繋がる付近を３０ｍｍにしてテーパー状に除々に幅を狭めてもよい。上部保持部８はノズル１１の空気噴出軸の延長上の近傍に設けられている。
【００３０】
［高速空気発生部］
図６は、実施の形態における傘除水機８０の送気室６付近の背面から見た部分断面図である。本体箱体３の側部３ｂである側面には外部の空気を吸い込む吸込口２５が形成され、送気室６内のブロワ１０の吸い込み側につながっている。ブロワ１０が運転状態になると、ブロワ１０の作用により、吸込口２５から空気が取り込まれる。吸込口２５にはエアフィルタ（集塵手段）２６が設けられ吸込口２５から取り込まれる空気から埃やゴミ等の異物を取り除き、傘除水機８０内部の汚れや故障を防止する。またブロワ１０の吸込側周辺には吸音材２７が貼り付けられ、ブロワ１０の騒音や通過する空気によって生じる騒音が吸込口２５から外部に漏れるのを抑える。ブロワ１０は、防振機能を持ち合わせたパッキン２８と防振部材２９とによって挟持されている。そのためブロワ１０の運転時、ブロワ１０の吸込口に対しブロワ１０の噴出し側は高圧となるが、パッキン２８により高圧側から低圧側への空気漏れを防止しするとともに、ブロワ１０の運転による振動をパッキン２８及び防振部材２９によって吸収して傘除水機８０への振動の伝播を防止し、傘除水機８０の振動による騒音の発生を抑制することができる。
【００３１】
傘除水機８０では長傘だけでなく折畳み傘も使用可能としている。折畳み傘は親骨１ｄが中棒１ａに対して外側に折れ曲がる構造になっている。このため除水作業中に親骨１ｄが外側に折れ曲がると、下方から上方に吹出す高速空気流を傘布１ｅが包み込むようにして受けてしまうため、高速空気流の力で傘１が上方に持ち上げられて除水ができなくなるばかりか、傘１が傘除水機８０から飛び出してしまい危険である。
【００３２】
［傘骨支持部材］
図７は、本実施の形態における傘除水機８０の３面断面図である。前面傘挿入口４側から除水室５に向かって凸のＵ字状で傘骨１ｄの上部を抱持するように傘骨支持部材２０が設置されている。傘骨支持部材２０の両端は前面傘挿入口４の両側部３ｂの内面に固定されている。この傘骨支持部材２０は、傘骨１ｄの上部周囲を所定のクリアランスを持って約２７０度囲繞する。この傘骨支持部材２０により、除水作業中に傘骨１ｄが折れて垂れ下がりそうになっても傘骨支持部材２０が傘骨１ｄを支えるためこれが阻止され、除水作業が損なわれることもなく、傘１が高速空気流の力を受けて上方に持ち上がって危険な状態になることもない。傘骨支持部材２０は錆びない材質で、かつ、適度な強度がある材料が望ましい。
【００３３】
［動作］
次に、傘除水機８０の動作について説明する。図８は、本実施の形態における傘除水機８０の傘１の挿抜を説明する側面断面の説明図であり、図８の（ａ）は傘１の挿入開始の状態を示し、図８の（ｂ）は挿入途中の状態を示し、図８の（ｃ）は挿入動作が完了し除水姿勢となった状態を示している。図８において、使用者が濡れた傘１を窄めた状態で前面傘挿入口４から傘１を挿入し、石突１ｃを石突保持部１２に載置する（図８の（ａ））。本実施の形態では前面傘挿入口４の開口が本体箱体３の前面の上下方向に大きく略長方形に開口しているため、使用者が背の低い子供でも傘を高く持ち上げることなく容易に傘１を前面傘挿入口４に挿入することができる。
【００３４】
傘１を除水室５内へ挿入していき、前面傘挿入口４にから傘１の露先１ｆまでが除水室５内に収まるまで挿入した後（図８の（ｂ））、傘１の手元１ｂの直線部または中棒１ａを、上面連通口９および凸部８ａを経由して上部保持部８へ移動させることで、傘１はノズル１１から所定の距離を隔てた位置に上部保持部８と石突保持部１２で回転可能に軸支され、除水姿勢に保持される（図８の（ｃ））。傘１を挿入するとともに石突保持部１２が傘用ガイドレール１５に沿って鉛直下方へと移動した時点で自然に除水姿勢（床面に対して９０°）に近づいているため、除水姿勢に近づいた傘１を上部保持部８へ移動させる動作は極めて容易に短時間で行うことができる。
【００３５】
その後、使用者が傘除水機８０の運転スイッチ（図示せず）を押すとブロワ１０が動作し、ブロワ１０の内部に保持されたファン（図示せず）が回転し、吸込口２５から空気が吸込まれブロワ１０により高圧空気が生成される。ブロワ１０から吐出される空気量に比べてノズル１１の開口面積が小さいためノズル１１から除水室５に高速空気が噴出される。ノズル１１から除水室５に噴出された高速空気は傘１の石突１ｃ側から露先１ｆ側に向かって流れ傘布１ｅのおもて面に付着した水滴を吹き飛ばす。使用者が本体箱体３の外部に突出している傘１の手元１ｂを３６０°回転させることで、回転中心軸Ａ上で傘１が回転し、傘布１ｅ全体に付着した水滴を高速空気で吹き飛ばすことができる。
【００３６】
一般に、傘１は傘布１ｅの材質や傘１の使用期間によって撥水状態が良いものや悪いものが様々ある。傘布１ｅが撥水しやすい状態の傘では除水時間は短く、撥水しにくい状態の傘では除水時間は長くなる。例えば前面傘挿入口４が本実施の形態のように大きくなく、傘１の石突１ｃを上方から挿入するような例えば上面に形成された小さな円穴状の前面傘挿入口になっている場合、除水時においては傘１の全体が本体箱体３の中に入ってしまうため、傘布１ｅが使用者から見えない。このため除水終了し使用者が傘を抜き取るまで、除水の状態を確認することができず、十分に除水されていなければ再び傘１を挿入しなおして除水する必要がある。また、撥水状態が良い傘であっても除水状態を確認することができないと、本来は短い時間で除水するにもかかわらず余分に除水することにもなる。
【００３７】
これに対して本実施の形態の傘除水機８０は、前面傘挿入口４の開口は本体箱体３の前面の上下方向に一般的な大人用傘の約半分程度の長さで略長方形状に大きく開口しているため、除水作業中の傘１の状態を確認しながら使用することができ、傘１の濡れ具合を容易に判別できるため合理的に除水でき、消費電力を抑制でき、使い勝手を損なうことがない。
【００３８】
傘布１ｅの水滴除去が終了し、使用者が傘除水機８０の停止スイッチ（図示せず）を押すと、ブロワ１０の動作が停止する。使用者は傘の手元１ｂを持ったまま前面傘挿入口４へ戻し、傘１を前面傘挿入口４から引き抜くにともない、移動部はおもり２２に付勢されて上方へ移動し、完全に抜き取られると石突保持部１２は傘用ガイドレール１５に沿って可動範囲の上端まで移動し、待機状態へと復帰する。
【００３９】
除水作業終了後に前面傘挿入口４から傘１を引抜く際には、前面傘挿入口４の開口が上下方向に略長方形に大きく開口しているため、折畳み傘の親骨１ｄが折れて垂れ下がった状態においても、親骨１ｄや露先１ｆが前面傘挿入口４の周縁部などに引っ掛ることがなく容易に傘１を引き出すことができる。
【００４０】
［効果］
以上のように本実施の形態の傘除水機８０によれば、前面傘挿入口４が本体箱体３の前面の上下方向に略長方形に大きく開口しているため、例えば使用者が背の低い子供でも傘を高く持ち上げることなく容易に挿入でき、傘１の挿入性を向上させることができ、使い勝手を損なうことがない。さらに、傘１を斜め方向に挿入しても非常に挿入しやすいため、傘を鉛直近くに立てて挿入する必要がなくなり、傘からの雫が使用者にかかったりすることがなく、鉛直角度近くから挿入しようとして手が届かないために傘を持ち替え、傘布を握ってしまい手が濡れてしまうといったことも防止できる。
【００４１】
また、前面傘挿入口４の開口が本体箱体３の前面の上下方向に略長方形に大きく開口しているため、除水作業中の傘１の状態を確認しながら使用することができ、傘の濡れ具合を容易に判別できるため合理的に除水でき、除水が足りないあるいは除水しすぎるといったことが発生せず、消費電力を抑制でき、使い易く、除水性能を向上させる傘除水機８０を得ることができる。
【００４２】
さらに、上部保持部８を前面傘挿入口４より背面側に設け、傘１を本体箱体３の側部３ｂである正面の斜め上方から挿入し除水姿勢に傘姿勢を変化させることで、前面傘挿入口４から傘１が移動するため傘布１ｅからの水滴が前面傘挿入口４から使用者へ飛散することを防止できる。また、鉛直方向に姿勢を変化させることで姿勢変化にともない新たに占有床面積を大きくすることがないため、設置の占有床面積が小さい傘除水機８０を得ることができる。
【００４３】
さらにまた、石突保持部１２は、上部保持部８に正対して回転中心軸Ａの軸方向に向いているため、挿入時と除水時の傘の姿勢が変化しても、除水時に傘１が回転中心軸Ａを中心に３６０°回転しても、石突保持部１２の凹形状の向きが傘１に向かっているので石突１ｃが石突保持部１２から外れることがなく、除水時にノズル１１に対し傘１を所定の位置（距離Ｌ）に安定して確保し、傘１の石突１ｃ付近から露先１ｆに向かって高速空気を当てることができるので、傘１の石突１ｃ付近から露先１ｆまでの傘布１ｅ全体の除水を効率的に行うことができる。
【００４４】
また、上面連通口９の周囲には上部水滴遮蔽板１９ａが設置され、前面傘挿入口４の最下端には下部水滴遮蔽板１９ｂが設置されているため、本体箱体３の外に飛散しようとする水滴が捕捉され、本体箱体３の外側に飛散しようとする水滴を抑制することができ、使いよい、衛生的な傘除水機８０を得ることができる。
【００４５】
さらに、前面傘挿入口４から除水室５に向かって凸にＵ字状に親骨１ｄを抱持するように傘骨支持部材２０が設置されているため、除水作業中に親骨１ｄが折れて垂れ下がりそうになっても傘骨支持部材２０が親骨１ｄを支えるため、垂れ下がってしまうことがなく、安全で信頼性が高まり、使いよい傘除水機８０を得ることができる。
【００４６】
また、石突保持部１２は凹形状を傘の石突１ｃより十分大きいので使用者が傘の石突１ｃを石突保持部１２に挿入するとき、多少位置がずれても石突保持部１２から外れることもなく、さらに凹形状を中心部に向かって誘導円錐面１２ｂを持つすり鉢形状とすることで、石突１ｃが誘導円錐面１２ｂを滑り自然に石突保持部１２の中心に石突１ｃが配置されるため、石突保持部１２が大きくなっても除水時にノズル１１に対し傘１を所定の位置（距離Ｌ）に確保できるため、使用者の使い勝手が向上するとともに傘の除水を効率的に行うことができる。
【００４７】
さらに、石突保持部１２はノズル１１に面する側の凹形状の壁のみノズル１１からの空気噴出方向と平行な形状で他の凹形状の壁に比べ急角度で立ち上げた立上部１２ｃを設け、石突保持部１２の中心からの外形寸法を小さくすることで、傘の姿勢変化による石突保持部１２からの石突１ｃの外れ防止を実現するとともにノズル１１からの噴流が石突保持部１２で邪魔されることなく石突１ｃ付近に当てることができ、傘１の石突１ｃ付近から露先１ｆまでの傘布１ｅ全体の除水を効率的に行うことができる。
【００４８】
また、ノズル１１の噴出方向と傘用ガイドレール１５の方向と回転中心軸Ａが概ね平行に設けられ、傘用ガイドレール１５に沿って石突保持部１２が移動可能に構成されているので、傘１の長さが変わっても除水時にノズル１１に対し傘１を所定の位置（距離Ｌ）を保つとともに、傘１に対して常にほぼ平行にノズル１１からの高速空気を当てることができる。そのため石突１ｃ付近から傘１に平行に露先１ｆに向かってノズル１１からの高速空気を当てることができるので、傘布１ｅの折りたたまれた襞状の間にその折り方向に沿ってノズル１１からの高速空気を当てることができ、傘の長さに影響されることなく常に傘布１ｅ全体に対し良好な除水性能を得ることができる。
【００４９】
なお、本実施の形態においては、ノズル１１を１ヶ所としているがこれに限られず、除水時に前面傘挿入口４とノズル１１との間に傘１があれば複数のノズル１１を配置してもよく、複数のノズル１１の開口形状・開口面積・長さを同一とはせず、傘布１ｅのどの位置を狙うかによって寸法・形状を変更してもよい。
【００５０】
また、本実施の形態では、付勢手段としておもり２２を用いているが、おもり２２に限らず、バネや油圧ダンパなどを用いてもよい。
【００５１】
また、本体箱体３内に傘用ガイドレール１５およびおもり用ガイドレール１６を設置しているが、これらに水滴付着を防止するカバーを設けてもよい。このような構成とすることで、傘布１ｅから飛散した水滴が傘用ガイドレール１５およびおもり用ガイドレール１６に付着することを防止することができ、動作不良のない長期信頼性のある傘除水機を得ることができる。
【００５２】
また、本実施の形態の上部保持部８においては、板ばねで成る凸部８ａで構成されているが板ばねに限定されるものではなく、上面連通口９の奥側へ中棒１ａまたは手元１ｂが通過可能で、且つ一端上面連通口９の奥側へ移動し保持された後は、所定以上の力で離脱させる構造であればよく、板ばねとは別の機構部品にて構成されてもよい。
【００５３】
さらに、傘用ガイドレール１５に沿って石突保持部１２を移動させる手段として、傘用ブラケット１７に車輪を設け傘用ガイドレール１５に沿って車輪が移動する傘用ガイドレール１５と車輪の機構でよいが、傘用ガイドレール１５をシリンダーに置き換え、ピストン上に傘用ブラケット１７を設けシリンダーとピストンによる機構でもよい。また、平行四辺形で伸縮するパンタグラフ形状のリンク機構を用いて、パンタグラフ上に傘用ブラケット１７を設けてもよい。また、おもり用ガイドレール１６とおもり用ブラケット２１も同様である。
【産業上の利用可能性】
【００５４】
本願発明の傘除水機は、雨や雪で濡れた傘の水滴を脱水する傘脱水機に適用されて好適なものであり、特に傘布に付着した水滴を高速空気で除去する傘除水機に適用されて最適なものである。
【符号の説明】
【００５５】
１  傘
１ａ  中棒
１ｂ  手元
１ｃ  石突
１ｄ  親骨
１ｅ  傘布
１ｆ  露先
２  突起
３  本体箱体
３ａ  隔壁
３ｂ  側部
４  前面傘挿入口
５  除水室
６  送気室
７  排水室
８  上部保持部
８ａ  凸部
９  上面連通口
１０  ブロワ（高速空気発生部）
１１  ノズル（高速空気噴出部）
１２  石突保持部
１２ａ  底部
１２ｂ  誘導円錐面
１２ｃ  立上部
１４  排水タンク
１５  傘用ガイドレール（移動手段）
１６  おもり用ガイドレール（付勢手段）
１７  傘用ブラケット（移動手段）
１８  連結部材（移動手段）
１９ａ  上部水滴遮蔽板
１９ｂ  下部水滴遮蔽板
２０  傘骨支持部材
２１  おもり用ブラケット（付勢手段）
２２  おもり（付勢手段）
２３  ケーブル
２４  滑車
２５  吸込口
２６  フィルタ
２７  吸音材
２８  パッキン
２９  防振部材
８０  傘除水機
【図１】
0005535048.tif 000002
【図２】
0005535048.tif 000003
【図３】
0005535048.tif 000004
【図４】
0005535048.tif 000005
【図５】
0005535048.tif 000006
【図６】
0005535048.tif 000007
【図７】
0005535048.tif 000008
【図８】
0005535048.tif 000009